(57)【要約】【課題】外観意匠性および止水性能を考慮した建具を提供する。【解決手段】本発明の建具（１）は、縦方向に２以上の窓（４，３１，３２）が並設される段窓構造の建具であって、縦枠（２３）と横枠（２１，２２）とで形成された枠体と、前記横枠と平行に設けられ、一対の前記縦枠間に架設された無目枠（６）と、前記無目枠の下方に設けられ、縦軸周りに回動して開閉可能に構成される縦辷り窓（４）と、前記無目枠に取り付けられ、前記縦辷り窓が前記縦軸周りに回動可能となるように支持する開閉機構（５１）と、前記無目枠に設けられ、前記縦辷り窓の屋外から屋内への浸水を防ぐ水切り材（８）と備え、前記水切り材は、前記開閉機構よりも見込み方向の前記屋内側に設けられていることを特徴とする。【選択図】図３
2019173361.tif 000002
【特許請求の範囲】
【請求項１】
縦方向に２以上の窓が並設される段窓構造の建具であって、
縦枠と横枠とで形成された枠体と、
前記横枠と平行に設けられ、一対の前記縦枠間に架設された無目枠と、
前記無目枠の下方に設けられ、縦軸周りに回動して開閉可能に構成される縦辷り窓と、
前記無目枠に取り付けられ、前記縦辷り窓が前記縦軸周りに回動可能となるように支持する開閉機構と、
前記無目枠に設けられ、前記窓の屋外から屋内への浸水を防ぐ水切り材と備え、
前記水切り材は、前記開閉機構よりも見込み方向の前記屋内側に設けられていることを特徴とする建具。
【請求項２】
前記無目枠は、前記無目枠の前記屋外側の端部から下方に延びて前記無目枠と前記開閉機構との固定部を覆う延出片を備えている請求項１に記載の建具。
【請求項３】
前記開閉機構は、前記縦辷り窓に備えるガラス面材及び前記無目枠の上方に設けられる上窓のガラス面材の延長線上に設けられている請求項１または請求項２に記載の建具。
【請求項４】
前記縦辷り窓及び前記上窓が、見込み方向における前記枠体の屋外端部側に設けられている請求項３に記載の建具。
【発明の詳細な説明】
【技術分野】
【０００１】
本発明は、窓用の建具に関する。
【背景技術】
【０００２】
建物の開口部に設けられる建具として、枠体内に２以上の窓が上下方向に並んで設けられる段窓構造の建具がある。例えば、特許文献１には、枠体の縦材間に水平方向に架設された無目枠より上方にＦＩＸ窓が設けられ、下方に可動窓が設けられた建具が提案されている。このような建具では、無目枠で上方の窓を支持するとともに、無目枠に下方の可動窓の支持部や開閉機構の固定部等が設けられて構成されている。
【先行技術文献】
【特許文献】
【０００３】
【特許文献１】特開２０１６-２２３２８０号公報
【発明の概要】
【発明が解決しようとする課題】
【０００４】
段窓構造の建具において、見込み方向における窓のガラス面材の位置を上下段で統一させて、窓の外観の統一感を図ることが望まれている。さらに、建物の外観上の統一感を図り、かつ屋内側にスペースを広く確保する目的で、見込み方向における窓のガラス面材の位置を、枠体の屋外寄りに設けることが望まれている。
【０００５】
開閉機構は窓を支持しながら開閉動作させる。このため、開閉機構の耐荷重性を担保するためには窓の直上に設けることが望ましい。また、無目枠の上方に設けられた上窓を支持するためには、上窓のガラス面材の延長線上に開閉機構を設けることが望ましい。したがって、ガラス面材の位置を見込み方向の屋外寄りに設ける場合、開閉機構は無目枠の見込み方向における屋外側の端部近傍に設けるのが好ましい。その一方で、雨水の建具内への浸入を抑える水切り材や止水材も、止水機能を高めるためには、無目枠の見込み方向における屋外側の端部近傍に設けるのが好ましい。しかし、開閉機構と水切り材や止水材を無目枠の見込み方向の屋外側の一部分に集約して設けることは難しかった。
【０００６】
上記事情を踏まえ、本発明は、外観意匠性および止水性能を考慮した建具を提供することを目的とする。
【課題を解決するための手段】
【０００７】
本発明に係る建具は、縦方向に２以上の窓が並設される段窓構造の建具であって、縦枠と横枠とで形成された枠体と、前記横枠と平行に設けられ、一対の前記縦枠間に架設された無目枠と、前記無目枠の下方に設けられ、縦軸周りに回動して開閉可能に構成される縦辷り窓と、前記無目枠に取り付けられ、前記縦辷り窓が前記縦軸周りに回動可能となるように支持する開閉機構と、前記無目枠に設けられ、前記窓の屋外から屋内への浸水を防ぐ水切り材と備え、前記水切り材は、前記開閉機構よりも見込み方向の前記屋内側に設けられていることを特徴とする。
【０００８】
この発明によれば、縦辷り窓の開閉機構よりも屋内側に水切り材を設けたため、開閉機構を水切り材よりも屋外側に配設できる。したがって、開閉機構により開閉可能に構成される縦辷り窓をより屋内側に配置でき、建物の外観上の統一感が得られ、外観意匠性に優れた段窓を提供できる。また、水切り材により、縦辷り窓よりも屋内側への雨水の浸入を防ぐことができる。この結果、外観意匠性および止水性能を考慮した建具を提供できる。
【０００９】
本発明に係る建具では、前記無目枠は、前記無目枠の前記屋外側の端部から下方に延びて前記無目枠と前記開閉機構との固定部を覆う延出片を備えていてもよい。
【００１０】
この発明によれば、延出片により、無目枠と開閉機構との固定部を覆うため、延出片が水、光、及び風の防護壁として機能する。また、無目枠と縦辷り窓との隙間を覆い隠すことができる。この結果、水や光による開閉機構の劣化を防ぐことができ、耐久性に優れた建具を提供できる。
【００１１】
本発明に係る建具では、前記開閉機構は、前記縦辷り窓に備えるガラス面材及び前記無目枠の上方に設けられる上窓のガラス面材の延長線上に設けられていてもよい。
【００１２】
この発明によれば、縦辷り窓のガラス面材及び上窓のガラス面材の延長線上に開閉機構が設けられるため、無目枠の上下に設けられる各窓を安定支持でき、耐荷重性に優れた建具を提供できる。
【００１３】
本発明に係る建具では、前記縦辷り窓及び前記上窓が、見込み方向における前記枠体の屋外端部側に設けられていてもよい。
【００１４】
この発明によれば、縦辷り窓及び上窓が枠体の見込み方向の屋外側に配設されるため、外観意匠性が良い建具を提供できる。また、屋内側のスペースを広く確保できる。
【発明の効果】
【００１５】
本発明は、外観意匠性および止水性能を考慮した建具を提供できる。
【図面の簡単な説明】
【００１６】
【図１】本発明の一実施形態に係る建具を示す正面図である。
【図２】本発明の一実施形態に係る建具を示す斜視図である。
【図３】本発明の一実施形態に係る手摺固定具を示す縦断面図である。
【図４】本発明の一実施形態に係る手摺固定具の一部を示す縦断面図である。
【発明を実施するための形態】
【００１７】
以下、本発明の一実施形態に係る建具１について図１から図４を用いて説明する。図１は本実施形態に係る建具１の一例を示す正面図である。図２は、本実施形態に係る建具１の縦辷り窓４を開けた状態を示す斜視図である。図３は、本実施形態に係る建具１の縦断面図である。図４は、図３における上無目枠６近傍の構造を拡大して示す断面図である。
【００１８】
本実施形態に係る建具１は、図１に示すように、躯体の開口部に枠体２が設けられ、枠体２内に、上から順に縦方向に上窓３１、縦辷り窓４、及び下窓３２の３つの窓が並設された段窓構造の建具である。建具１は、枠体２と、無目枠６，７と、上窓３１と、縦辷り窓４と、下窓３２と、開閉機構５１，５２と、水切り部材８と、を備える。
【００１９】
枠体２は、縦枠２３，２３と横枠２１，２２とで形成されている。枠体２は、上枠（横枠）２１と下枠（横枠）２２と左右の縦枠２３，２３とが四角形枠状に形成されている。枠体２はそれぞれアルミニウム合金からなる型材である。上枠２１及び下枠２２には、躯体の開口部との固定部と、上窓３１あるいは下窓３２を支持する窓支持部２１１，２２１を備える。
【００２０】
無目枠６，７は、上枠２１及び下枠２２と平行に設けられ、一対の縦枠２３，２３間に架設されている。本実施形態では、縦辷り窓４と、縦辷り窓４の上方及び下方にそれぞれ上窓３１及び下窓３２が設けられているため、無目枠６，７は上無目枠６と下無目枠７とを備える。上無目枠６及び下無目枠７は、図３に示す縦断面形状が横方向の略全長に亘って形成されている。
【００２１】
上無目枠６は、横方向の両端部が縦枠２３，２３に固定されている。上無目枠６は、上部で上窓３１を支持固定し、下部で縦辷り窓４を開閉可能に支持可能に構成されている。図４に示すように、上無目枠６の上部の屋外Ｏ側には、上窓３１を支持する上窓受け部６１が設けられている。
【００２２】
上窓受け部６１には、載置部６１１と、下端係止部６１２と、押縁係止部６１３とを有する。載置部６１１は水平面であり、上窓３１の下面を支持する面である。下端係止部６１２は、載置部６１１よりも屋内側の上方に設けられ、上窓３１の屋内Ｉ側の下端部を係止可能に構成されている。下端係止部６１２は、上下方向に延びて上窓３１の屋内Ｉ側の側面と当接する第一当接片６１２ａと、第一当接片６１２ａよりも下方に設けられ、縦断面形状がＬ字形状の第二当接片６１２ｂとを有する。第二当接片６１２ｂは、上窓３１の屋内Ｉ側の下端の角部に当接して上窓３１を支持可能な形状を有する。押縁係止部６１３は、載置部６１１の屋外Ｏ側の端部よりも屋外Ｏ側に配置されている。押縁係止部６１３は、上方に開口する溝形状を有する。載置部６１１の屋外Ｏ側の端部は、押縁係止部６１３の溝上に突出している。
【００２３】
上窓受け部６１の下方には、上開閉機構５１（開閉機構）を固定する固定部６２が設けられている。図４に示すように、固定部６２は、縦断面形状が略矩形であり下方に開口する溝部６２１を有する。固定部６２には、縦枠２３との連結前に横方向の端部から座金６２２が挿入されている。固定部６２の下端の開口は、上部の溝の開口よりも、見込み方向の寸法が小さくなるように形成されている。座金６２２は、固定部６２の開口よりも見込み方向の寸法が大きい。したがって、座金６２２は、固定部６２内に保持されている。
【００２４】
上無目枠６の下部の固定部６２よりも見込み方向の屋内Ｉ側には、水切り部材８を取り付ける水切り固定部６３が設けられている。水切り固定部６３は、上無目枠６の下面６５から下方に突出して設けられている。水切り固定部６３は、縦断面形状が下方に開口するＣ字形状を有する溝である。
【００２５】
上無目枠６の屋内Ｉ側の端面６６は、下面６５よりも下方に延出して形成され、下端部に気密部材保持部６４が形成されている。気密部材保持部６４は、屋内Ｉ側の端面６６の下端部から屋外Ｏ側方向に開口する溝形状を有する。
【００２６】
上無目枠６には上押縁６７が連結されている。上押縁６７は、上無目枠６とともに、ＦＩＸ窓である上窓３１を挟んで固定する固定部材である。上押縁６７は、上窓支持部６７１と、嵌合部６７２と、延出片６７３とを備えている。上窓支持部６７１は、上窓３１の屋外Ｏ側の下端部の枠部材３３と当接する外壁部６７１ｂと、外壁部６７１ｂから屋内Ｉ側に突出する突起６７１ａとを有する。突起６７１ａは、上窓３１の屋外Ｏ側の下端部を下方から支持する。嵌合部６７２は、上窓支持部６７１の下方に設けられている。嵌合部６７２は、外壁部６７１ｂの下部が屋内Ｉ側に曲折して延びている。嵌合部６７２は、曲折部分の屋外側端部６７２ａが、上無目枠６の押縁係止部６１３内に当接し、内側端部６７２ｂの上部が押縁係止部６１３の溝上に突出している載置部６１１の屋外Ｏ側の端部の下面に当接して、上無目枠６に嵌合されている。押縁６７は、内側端部６７２ｂを先に押縁係止部６１３内に挿入して載置部６１１の屋外Ｏ側の端部の下面に当接させた後、屋外側端部６７２ａを押縁係止部６１３内に挿入すると嵌合される。
【００２７】
延出片６７３は、押縁６７の屋外Ｏ側の端部から下方に延びて上無目枠６と上開閉機構５１との固定部を覆うように構成されている。延出片６７３は、上無目枠６の固定部６２から見込み方向に離間して設けられている。延出片６７３の下端部は、固定部６２よりも下方まで延出している。
【００２８】
下無目枠７は、横方向の両端部が縦枠２３，２３に固定されている。下無目枠７は、上部で縦辷り窓４を開閉可能に支持し、下部で下窓３２を支持固定可能に構成されている。図３に示すように、下無目枠７の下部の屋外Ｏ側には、下窓３２を係合する下窓受け部７１が設けられている。下無目枠７の屋内Ｉ側の上部には、下開閉機構５２の固定部７２が設けられている。固定部７２は、下窓受け部７１の溝と連通している。固定部７２の上部に、下開閉機構５２が載置され、ネジ９０１が座金７２２と螺合されて固定部７２に下開閉機構５２が固定される。下無目枠７の上面と下開閉機構５２との間には樹脂製のシール材７２３が設けられている。
下無目枠７の屋内Ｉ側の上端部には、上無目枠６と同様の気密部材保持部７４が設けられている。
【００２９】
上開閉機構５１及び下開閉機構５２は縦辷り窓４の公知の開閉機構である。上開閉機構５１は、上無目枠６に固定され、上リンク５３を有する。上リンク５３は、上開閉機構５１の下面及び縦辷り窓４の上框４２に対して固定軸回りに回動可能に設けられている。下開閉機構５２は、下無目枠７に固定され、下リンク５４を有する。下リンク５４は、下開閉機構５２の上面及び縦辷り窓４の下框４３に対して固定軸回りに回動可能に設けられている。
【００３０】
上窓３１及び下窓３２は、ＦＩＸ窓（嵌め殺し窓）である。上窓３１及び下窓３２は、四角形枠状に形成された枠部材３３と、枠部材３３内に嵌め込まれたガラス面材３４とを備えている。枠部材３３はアルミニウム合金からなる。
【００３１】
図１及び図２に示すように、縦辷り窓４は、上無目枠６の下方に設けられている。縦辷り窓４は、ハンドル４０１と不図示の施錠機構が縦框４４に設けられている。縦辷り窓４は、上開閉機構５１及び下開閉機構５２により枠体２の上下方向に延びる仮想回転軸（縦軸）周りに回動して開閉可能に構成されている。
【００３２】
縦辷り窓４は、四角形枠状に形成された框４０と、框４０内に嵌め込まれたガラス面材４１とを備えている。図３に示すように、ガラス面材４１は、両面の四周に枠部４１１，４１１が取り付けられている。
【００３３】
框４０は、上框４２、下框４３及び縦框４４，４４（図２参照）とで構成されている。図３及び図４に示すように、上框４２の下面側には、下方に開口する上ガラス支持部４２１が設けられている。下框４３の上面側には上方に開口する下ガラス支持部４３１が設けられている。縦框４４，４４には、互いの対向面に上下方向に開口する縦ガラス支持部（不図示）が設けられている。上ガラス支持部４２１、下ガラス支持部４３１、及び縦ガラス支持部は、枠体２の見込み方向の中央部よりも屋外Ｏ寄りに設けられている。
【００３４】
ガラス面材４１は、両面の四周に設けられた矩形のシール材４１２，４１２を介して、枠部４１１，４１１が框４０の上ガラス支持部４２１、下ガラス支持部４３１、及び縦ガラス支持部（不図示）内に嵌め込まれて支持されている。
【００３５】
上框４２の上部であって、見込み方向の屋外Ｏ側端部近傍には、上開閉機構５１の上リンク５３が連結されている。図３に示すように、上リンク５３と上框４２とは、ガラス面材４１よりも屋外Ｏ側で連結されている。
【００３６】
上框４２の見込み方向の屋外Ｏ側の上端部には、上方に突出するステー当接片４２２が設けられている。ステー当接片４２２は、縦辷り窓４が閉じた状態で、上開閉機構５１の屋外Ｏ側の端面５１１と当接可能に形成されている。
【００３７】
上框４２の上ガラス支持部４２１よりも見込み方向の屋内Ｉ側には、縦断面形状が略矩形の内枠部４６が形成されている。内枠部４６は、縦辷り窓４を閉じた状態で、上無目枠６の屋内Ｉ側の下端部（気密部材保持部６４）の近傍まで略水平方向に延びて形成されている。内枠部４６の上面には上方に突出する止水突起４６１が設けられている。止水突起４６１は、内枠部の横幅の全長に亘って設けられている。
【００３８】
下框４３の屋外Ｏ側の下面には、下開閉機構５２の下リンク５４が連結されている。下リンクと下框４３とは、ガラス面材４１よりも屋外Ｏ側で連結されている。下框４３の屋外Ｏ側の端部は、下方に延びる下垂片４３２が形成されている。下垂片４３２の屋内Ｉ側の面は、縦辷り窓４が閉じた状態で下開閉機構５２に当接する。
【００３９】
下框４３の下ガラス支持部４３１よりも見込み方向屋内Ｉ側には、縦断面形状が略矩形の下内枠部４３６が形成されている。下内枠部４３６は、縦辷り窓４を閉じた状態で、下無目枠７の上端部（気密部材保持部）７４の近傍まで略水平方向に延びて形成されている。
【００４０】
水切り部材８は樹脂製の長尺部材である。水切り材８は、縦辷り窓４の屋外Ｏから屋内Ｉへの浸水を防ぐ機能を備える。水切り部材８は、下部に設けられている水切り部本体８１と、上部に設けられ水切り固定部６３に嵌合する嵌合片８２とを備える。水切り部本体８１は、嵌合片８２の下部から鉛直下方向に延びて形成される一対の壁部である。水切り部本体８１は、一対の壁部が横方向に平行に延びて形成されている。
【００４１】
次に、建具１の各部材の連結構造について説明する。下無目枠７の下窓受け部７１に下窓３２の上端部が挿入され、下枠２２の窓支持部２２１に下窓３２が配置され、下押縁２６７でガラス面材３４の下端部が挟持されて下窓３２が固定されている。ガラス面材３４の両面の四周に設けられた矩形のシール材４１２，４１２により窓支持部２２１にシールされている。
【００４２】
上無目枠６の載置部６１１には、略直方体形状の樹脂製の横材３１３が載置されている。横材３１３は緩衝材として機能する。上枠２１の窓支持部２１１に上窓３１の上部が挿入されており、横材３１３の上面に上窓３１の下端面が載置され、上窓３１の屋内Ｉ側の端部が第一当接片６１２ａ及び第二当接片６１２ｂに当接される。この状態で、上窓３１の下端部を下端係止部６１２と押縁６７の外壁部６７１ｂとで挟むように屋外Ｏ側から押縁６７が押し込まれる。押縁６７の屋内Ｉ側の嵌合部６７２が押縁係止部６１３の溝内に挿入されて押縁６７が上無目枠６に係止される。この構成により、上窓３１の下端部が上無目枠６に固定されている。
【００４３】
上開閉機構５１は、上開閉機構５１に挿通されたネジ９００が座金６２２と螺合されて固定部６２に固定されている。上無目枠６の下面と上開閉機構５１との間には樹脂製のシール材６２３が設けられている。座金６２２とシール材６２３との間に、固定部６２の開口部が挟持されている。
縦辷り窓４は、公知の方法で開閉機構５１，５２に連結されて上無目枠６及び下無目枠７に支持されている。
【００４４】
水切り部材８は、嵌合片８２が水切り固定部６３の溝内に嵌合され、水切り部本体８１が下方に延出して設けられている。水切り材８は、開閉機構５１，５２よりも見込み方向の屋内Ｉ側に設けられている。図３に示すように、縦辷り窓４が閉じた状態では、水切り部本体８１の下端部が止水突起４６１と当接するように設けられている。水切り部材８が止水突起４６１と当接することにより、縦辷り窓４の屋外Ｏ側から浸入した水が水切りされる。その結果、水切り部材８により、止水突起４６１よりも屋内Ｉ側に水が浸入することを防ぐことができる。
【００４５】
気密シール９は、気密部材保持部６４と係合して固定される被固定部９１と、シール部本体９２とを有する。シール部本体９２は、内部に中空部を有する縦断面形状が略矩形のチューブ部材である。気密シール９は、縦辷り窓４が閉じられた状態における気密性を保つための部材である。気密シール９は、縦辷り窓４の框４０の屋内Ｉ側の面と、上無目枠６、下無目枠７及び縦枠２３，２３との当接部に矩形状に設けられる。つまり、気密シール９は、縦枠２３，２３と、上無目枠６と下無目枠７とに固定されている。気密シール材９は気密部材保持部６４に固定される。上無目枠６と同様に、下無目枠７にも気密部材保持部７４が設けられ、気密シール９は、下無目枠７にも固定されている。気密シール材９は、気密部材保持部６４内に被固定部９１が固定され、気密部材保持部６４よりも屋外Ｏ側にシール部本体９２が突出して設けられている。気密シール部９は、縦辷り窓４が閉じた状態で、縦辷り窓４の屋内Ｉ側の上端面と密着して縦辷り窓４の内外の気密性を保持可能に構成されている。
【００４６】
図３に示すように、上窓３１及び下窓３２のガラス面材３４，３４と、縦辷り窓４のガラス面材４１とは、見込み方向における位置が一致し、上窓３１及び下窓３２のガラス面材３４，３４の延長線上に縦辷り窓４のガラス面材４１が設けられている。縦辷り窓４、上窓３１及び下窓３２は、見込み方向における枠体２の屋外端部側に設けられている。各開閉機構５１，５２は、上窓３１及び下窓３２のガラス面材３４，３４と、縦辷り窓４のガラス面材４１との延長線上に設けられている。
【００４７】
建具１は、上窓３１、縦辷り窓４及び下窓３２の各ガラス面材３４，４１の位置及び開閉機構５１，５２の位置が見込み方向において一致して上下方向に並んで設けられている。その結果、各段の窓３１，３２，４が枠体２及び無目枠６，７に安定支持される。その結果、耐久性に優れる。
【００４８】
また、各段の窓３１，３２，４が見込み方向における枠体２の中央部よりも屋外Ｏ側に設けられている。その結果、外観上、躯体の外壁との統一感が得られる。
【００４９】
本実施形態に係る建具１によれば、縦辷り窓４の上開閉機構５１よりも屋内Ｉ側に水切り材８を設けたため、上開閉機構５１を水切り材８よりも屋外Ｏ側に配設できる。したがって、上開閉機構５１により開閉可能に構成される縦辷り窓４をより屋内Ｉ側に配置でき、建物の外観上の統一感が得られ、外観意匠性に優れた段窓を提供できる。また、水切り材８により、縦辷り窓４よりも屋内Ｉ側への雨水の浸入を防ぐことができる。この結果、外観意匠性および止水性能を考慮した建具１を提供できる。
【００５０】
本実施形態に係る建具１によれば、延出片６７３により、上無目枠６と上開閉機構５１との固定部を覆うため、延出片６７３が水、光、及び風の防護壁として機能する。また、上無目枠６と縦辷り窓４との隙間を覆い隠すことができる。この結果、水や光による上開閉機構５１の劣化を防ぐことができ、耐久性に優れた建具１を提供できる。
【００５１】
本実施形態に係る建具１によれば、縦辷り窓４のガラス面材４１及び上窓３１のガラス面材３４の延長線上に上開閉機構５１が設けられるため、上無目枠６の上下に設けられる各窓３１，４を安定支持できる。下無目枠７においても、縦辷り窓４のガラス面材４１及び下窓３２のガラス面材３４の延長線上に下開閉機構５２が設けられるため、下無目枠７の上下に設けられる各窓３２，４を安定支持できる。したがって、耐荷重性に優れた建具１を提供できる。
【００５２】
本実施形態に係る建具１によれば、縦辷り窓４及び上窓３１が枠体２の見込み方向の屋外Ｏ側に配設されるため、外観意匠性が良い建具１を提供できる。また、屋内Ｉ側のスペースを広く確保できる。
【００５３】
本実施形態に係る建具１では、縦辷り窓４が閉じた状態において、縦辷り窓４の下框４３に形成された下垂片４３２により、下開閉機構５２が覆われるように構成されている。この結果、水や光による下開閉機構５２の劣化を防ぐことができ、耐久性に優れた建具１を提供できる。
【００５４】
上記実施形態では、縦辷り窓４の上方及び下方にそれぞれＦＩＸ窓（上窓３１，下窓３２）が設けられている例を示したが、建具１の段窓の構成はこれに限定されない。例えば、下窓３２を備えず、縦辷り窓４の上方のみにＦＩＸ窓である上窓３１が設けられる段窓であってもよい。この他、上窓あるいは下窓がスライド窓や、開閉窓であってもよい。
【００５５】
上記実施形態では、押縁に延出部を備える例を示したが、上窓がスライド窓や開閉窓である場合、押縁の各部の構成が上無目枠６に一体に設けられ、延出部も上無目枠６に一体に形成される構成としてもよい。
【００５６】
以上、本発明の実施形態について図面を参照して詳述したが、具体的な構成はこの実施形態に限られるものではなく、本発明の要旨を逸脱しない範囲の設計変更等も含まれる。
また、上述の実施形態及び各変形例において示した構成要素は適宜に組み合わせて構成することが可能である。
【符号の説明】
【００５７】
１  建具
２  枠体
４  縦辷り窓
６  上無目枠（無目枠）
８  水切り材
２１  上枠（横枠）
２２  下枠（横枠）
２３  縦枠
３１  上窓
３４，４１  ガラス面材
５１  上開閉機構（開閉機構）
【図１】
2019173361.tif 000003
【図２】
2019173361.tif 000004
【図３】
2019173361.tif 000005
【図４】
2019173361.tif 000006